(57)【要約】【課題】  １工程多色印刷と１工程両面印刷とを選択的に行うことが可能な複胴式孔版印刷装置を提供する。【解決手段】  複数の版胴１２，２５及び各版胴にそれぞれ対応して配設され対応する版胴に用紙を押圧する押圧手段１３，２６を有する複数の印刷部２，６と、相隣る印刷部間に配設され用紙搬送方向上流側に配置された上流側印刷部２から用紙搬送方向下流側に配置された下流側印刷部６に向けて用紙を搬送する中間搬送装置２４とを有する複胴式孔版印刷装置１において、下流側印刷部６の下方に、上流側印刷部２においてその一面に印刷がなされた片面印刷済み用紙を一時貯容した後に下流側印刷部６の版胴２５と押圧手段２６との間に向けて再給紙する再給紙手段１４を設け、片面印刷済み用紙を下流側印刷部６に向けて搬送する第１の態位と再給紙手段１４に向けて搬送する第２の態位とに中間搬送装置２４を変位自在に構成した。【選択図】                        図１
2008142994.tif 000002
【特許請求の範囲】
【請求項１】
複数の版胴及び前記各版胴にそれぞれ対応して配設され対応する前記版胴に用紙を押圧する押圧手段を有する複数の印刷部と、相隣る前記印刷部間に配設され用紙搬送方向上流側に配置された上流側印刷部から用紙搬送方向下流側に配置された下流側印刷部に向けて用紙を搬送する中間搬送装置とを有する複胴式孔版印刷装置において、
前記下流側印刷部の下方に、前記上流側印刷部においてその一面に印刷がなされた片面印刷済み用紙を一時貯容した後に前記下流側印刷部の前記版胴と前記押圧手段との間に向けて再給紙する再給紙手段を具備し、前記中間搬送装置は前記片面印刷済み用紙を前記下流側印刷部に向けて搬送する第１の態位と前記再給紙手段に向けて搬送する第２の態位とに変位自在に構成されていることを特徴とする複胴式孔版印刷装置。
【請求項２】
請求項１記載の複胴式孔版印刷装置において、
前記中間搬送装置が第１の態位を占めた際には片面単色印刷または片面多色印刷が行われ、前記中間搬送装置が第２の態位を占めた際には両面印刷が行われることを特徴とする複胴式孔版印刷装置。
【請求項３】
請求項２記載の複胴式孔版印刷装置において、
前記両面印刷時に、前記再給紙手段から前記下流側印刷部に向けて先の片面印刷済み用紙が再給紙された後に前記中間搬送装置から前記再給紙手段に向けて次の片面印刷済み用紙が搬送される間欠モードと、前記再給紙手段から前記下流側印刷部に向けて先の片面印刷済み用紙が再給紙されているときに前記中間搬送装置から前記再給紙手段に向けて次の片面印刷済み用紙がすれ違いざまに搬送される連続モードとを選択可能であることを特徴とする複胴式孔版印刷装置。
【発明の詳細な説明】
【技術分野】
【０００１】
本発明は、１工程で両面印刷と多色印刷とを行うことが可能な複胴式孔版印刷装置に関する。
【背景技術】
【０００２】
従来、簡便な印刷方法としてデジタル式感熱孔版印刷が知られている。これは、熱可塑性樹脂フィルムと多孔性支持体とを貼り合わせたマスタに微細な発熱素子を複数有するサーマルヘッドを接触させ、この発熱素子に対しパルス的に通電を行いながらマスタをプラテンローラ等の搬送手段で搬送することにより、マスタの熱可塑性樹脂フィルムに画像情報に基づいた穿孔画像を熱溶融穿孔製版した後、この穿孔製版されたマスタを多孔性円筒状の版胴に巻装させ、プレスローラ等の押圧手段によって用紙を版胴外周面に押圧させることで版胴内周面に供給されたインキを版胴開孔部及びマスタ穿孔部から滲出させ、このインキを用紙に転移させることにより用紙上に印刷画像を得るものである。
【０００３】
最近では、上述の孔版印刷によって多色の印刷物を得る多色印刷が行われるようになってきている。この一例として、内部にそれぞれ異なる色のインキを貯容すると共に直列に配置された複数の版胴を単一の駆動手段で同期して回転駆動させ、各版胴にそれぞれ対応して設けられた押圧手段によって用紙を各版胴に順次圧接させることにより用紙上に各版胴のインキ色に対応した画像を順次転写させ、１工程で多色印刷物を得ることが可能な複胴式孔版印刷装置が、例えば「特許文献１」に開示されている。
【０００４】
また、用紙の消費量及び書類の保管スペースを低減させるため等の目的から、用紙の両面に印刷を行う両面印刷が頻繁に行われるようになってきている。この一例として、版胴の回転方向に第１製版画像と第２製版画像とが２面並んだ分割製版済みマスタを用い、給紙部より１枚目の用紙を給送してこの表面に一方の製版画像を印刷した後にこの用紙を補助トレイに案内し、給紙部より２枚目の用紙を給送してこの表面に一方の製版画像を印刷した後にこの用紙を補助トレイに案内すると共に、補助トレイより１枚目の用紙を再給紙してこの裏面に他方の製版画像を印刷してこの用紙を排紙トレイに排出し、この動作を連続して行うことにより１工程で両面印刷物を得る両面印刷装置が、例えば「特許文献２」に開示されている。
【０００５】
【特許文献１】特開平１０−２９７０７４号公報
【特許文献２】特開２００３−２００６４５号公報
【発明の開示】
【発明が解決しようとする課題】
【０００６】
上述した各技術によれば、１工程多色印刷あるいは１工程両面印刷を行うことはできるが、１工程多色印刷と１工程両面印刷とを選択的に行うことはできない。
【０００７】
本発明は、１工程多色印刷と１工程両面印刷とを選択的に行うことが可能な複胴式孔版印刷装置の提供を目的とする。
【課題を解決するための手段】
【０００８】
請求項１記載の発明は、複数の版胴及び前記各版胴にそれぞれ対応して配設され対応する前記版胴に用紙を押圧する押圧手段を有する複数の印刷部と、相隣る前記印刷部間に配設され用紙搬送方向上流側に配置された上流側印刷部から用紙搬送方向下流側に配置された下流側印刷部に向けて用紙を搬送する中間搬送装置とを有する複胴式孔版印刷装置において、前記下流側印刷部の下方に、前記上流側印刷部においてその一面に印刷がなされた片面印刷済み用紙を一時貯容した後に前記下流側印刷部の前記版胴と前記押圧手段との間に向けて再給紙する再給紙手段を具備し、前記中間搬送装置は前記片面印刷済み用紙を前記下流側印刷部に向けて搬送する第１の態位と前記再給紙手段に向けて搬送する第２の態位とに変位自在に構成されていることを特徴とする。
【０００９】
請求項２記載の発明は、請求項１記載の複胴式孔版印刷装置において、さらに前記中間搬送装置が第１の態位を占めた際には片面単色印刷または片面多色印刷が行われ、前記中間搬送装置が第２の態位を占めた際には両面印刷が行われることを特徴とする。
【００１０】
請求項３記載の発明は、請求項２記載の複胴式孔版印刷装置において、さらに前記両面印刷時に、前記再給紙手段から前記下流側印刷部に向けて先の片面印刷済み用紙が再給紙された後に前記中間搬送装置から前記再給紙手段に向けて次の片面印刷済み用紙が搬送される間欠モードと、前記再給紙手段から前記下流側印刷部に向けて先の片面印刷済み用紙が再給紙されているときに前記中間搬送装置から前記再給紙手段に向けて次の片面印刷済み用紙がすれ違いざまに搬送される連続モードとを選択可能であることを特徴とする。
【発明の効果】
【００１１】
本発明によれば、片面単色印刷を行う第１のモード、片面多色印刷を行う第２のモード、両面間欠印刷を行う第３のモード、両面連続印刷を行う第４のモードの何れかに印刷モードを切り替えることができ、１工程多色印刷と１工程両面印刷とを選択的に行うことができる。
【発明を実施するための最良の形態】
【００１２】
図１は、本発明の第１の実施形態を採用した複胴式孔版印刷装置を示している。同図において複胴式孔版印刷装置１は、上流側印刷部２、製版部３、給紙部４、排版部５、下流側印刷部６、排版部８、中間搬送装置２４、排紙部９、画像読取部１０等を有している。
【００１３】
装置本体１１のほぼ中央部に配置された上流側印刷部２は、版胴１２、押圧手段としてのプレスローラ１３等を有している。  
版胴１２は装置本体１１に回転自在かつ着脱自在に支持されており、図示しない版胴駆動手段によって回転駆動される。版胴１２はその外周面上に開閉自在なクランパ１６を有しており、版胴１２の外周面上には製版部３で製版された製版済みマスタ１７が巻装される。版胴１２の外周面近傍には、版胴１２の位置を検知する図示しないロータリエンコーダ及び印刷時において版胴１２上の製版済みマスタ１７から用紙を剥離する剥離爪４５が設けられている。
【００１４】
版胴１２の内部には、インキローラ、ドクターローラ、インキ供給パイプ、黒色のインキを貯容した図示しないインキパック、図示しないインキ供給ポンプ等を有する周知のインキ供給手段２９が配設されている。インキ供給手段２９は、版胴１２と一体的に装置本体１１に対して着脱される。
【００１５】
版胴１２の下方にはプレスローラ１３が配設されている。フッ素樹脂等の撥水性を有する弾性体からなるプレスローラ１３は図示しないアーム部材にその両端を回転自在に支持されており、図示しないアーム部材は図示しない揺動手段によって揺動自在に支持されている。プレスローラ１３はその周面が版胴１２より離間する図１に示す離間位置と、その周面が版胴１２上の製版済みマスタ１７に圧接する圧接位置とを選択的に占める。図示しない揺動手段の近傍には、プレスローラ１３を離間位置で保持する図示しないプレスローラ保持手段が配設されている。
【００１６】
上流側印刷部２の右上方には製版部３が配設されている。製版部３は、マスタをロール状に巻成したマスタロールを保持するマスタ保持部材、プラテンローラ、サーマルヘッド、マスタ切断手段、マスタストック部、テンションローラ対、反転ローラ対等を有する周知の構成であり、製版部３では製版済みマスタ１７が作成される。製版部３は一体的なユニットとして構成されており、装置本体１１に設けられた図示しないレール部材によって図１における左右方向に移動自在に支持されている。製版部３は、図示しない製版部移動手段によって移動されることにより、上流側印刷部２に対して製版済みマスタ１７を供給する図１に実線で示す第１の位置と、下流側印刷部６に対して製版済みマスタ２８を供給する図１に二点差線で示す第２の位置とを選択的に占める。
【００１７】
上流側印刷部２の右下方には給紙部４が配設されている。給紙部４は、給紙トレイ、給紙ローラ、分離ローラ、分離パッド、レジストローラ対等を有する周知の構成であり、所定のタイミングで用紙Ｐを上流側印刷部２に向けて分離給送する。
【００１８】
上流側印刷部２の右方であって製版部３と給紙部４との間の位置には、版胴１２の外周面上より使用済みの製版済みマスタ１７を剥離して廃棄する排版部５が配設されている。排版部５は、上排版部材、下排版部材、排版ボックス、圧縮板等を有する周知の構成であり、版胴１２上より剥離された使用済みの製版済みマスタ１７は排版ボックスの内部に貯容された後、圧縮板により圧縮される。
【００１９】
上流側印刷部２の左方には、版胴２５と押圧手段としてのプレスローラ２６とを有する下流側印刷部６が配設されている。版胴２５は装置本体１１に回転自在かつ着脱自在に支持されており、版胴１２と同じ図示しない版胴駆動手段からの回転駆動力を図示しない駆動力伝達手段を介して伝達され、版胴１２と同期して回転駆動される。版胴２５はその外周面上に開閉自在なクランパ２７を有しており、版胴２５の外周面上には製版済みマスタ２８が巻装される。版胴２５の外周面近傍には、版胴２５の位置を検知する図示しないロータリエンコーダ及び印刷時において版胴２５上の製版済みマスタ２８から用紙を剥離する剥離爪３１が設けられている。
【００２０】
版胴２５の内部には、インキ供給手段２９と同様の構成を有するインキ供給手段３０が配設されている。インキ供給手段３０は、版胴２５と一体的に装置本体１１に対して着脱される。また、インキ供給手段３０の図示しないインキパックには、インキ供給手段２９のインキパックに貯容されたインキ（本実施形態では黒色）とは異なる色（本実施形態では赤色）のインキが貯容されている。
【００２１】
版胴２５の下方にはプレスローラ２６が配設されている。プレスローラ１３と同様に構成されたプレスローラ２６は図示しないアーム部材にその両端を回転自在に支持されており、図示しないアーム部材は図示しない揺動手段によって揺動自在に支持されている。プレスローラ２６はその周面が版胴２５より離間する図１に示す離間位置と、その周面が版胴２５上の製版済みマスタ２８に圧接する圧接位置とを選択的に占める。図示しない揺動手段の近傍には、プレスローラ２６を離間位置で保持する図示しないプレスローラ保持手段が配設されている。また、プレスローラ２６の周面近傍には、後述する再給紙手段１４によって再給紙される片面印刷済み用紙がプレスローラ２６の周面に沿うようにガイドするガイド板７が配設されている。ガイド板７は、図示しないアーム部材に固定されている。
【００２２】
印刷部６の左方には排版部８が配設されている。排版部８は排版部５と同様に、上排版部材、下排版部材、排版ボックス、圧縮板等を有する周知の構成を有しており、版胴２５上より剥離された使用済みの製版済みマスタ２８は排版ボックスの内部に貯容された後、圧縮板により圧縮される。
【００２３】
プレスローラ２６の下方には、補助トレイ２１上に一時貯容された片面印刷済み用紙をプレスローラ２６の周面に接触させて送り出す再給紙レジストローラ２０が配設されており、プレスローラ２６の左下方には上面に補助トレイ２１を有する再給紙搬送手段２２が配設されている。再給紙搬送手段２２は、駆動ローラ１５、従動ローラ１８、各ローラ間に掛け渡された無端ベルト１９等を有しており、駆動ローラ１５を正逆回転することにより補助トレイ２１上に露呈した無端ベルト１９を走行させて補助トレイ２１への片面印刷済み用紙の貯容及び補助トレイ２１からの片面印刷済み用紙の排出を行う。再給紙搬送手段２２はプレスローラ２６を支持する図示しないアーム部材に一体的に支持されており、図示しないアーム部材の揺動に伴い駆動ローラ１５の支軸を中心に揺動自在に構成されている。再給紙レジストローラ２０はプレスローラ２６を支持する図示しないアーム部材に回転自在かつ揺動自在に支持されており、図示しないレジストローラ揺動手段によって揺動されることにより、その周面をプレスローラ２６の周面に対して接離自在に構成されている。上述した再給紙レジストローラ２０、補助トレイ２１、再給紙搬送手段２２によって再給紙手段１４が構成されている。
【００２４】
上流側印刷部２と下流側印刷部６との間には中間搬送装置２４が配設されている。中間搬送装置２４は、駆動ローラ２４ａ、従動ローラ２４ｂ、無端ベルト２４ｃ、吸引ファン２４ｄ等を有する吸着搬送式コンベヤであり、無端ベルト２４ｃの上面に上流側印刷部２で印刷された片面印刷済み用紙を吸着し、所定のタイミングで版胴２５とプレスローラ２６との間に向けて給送する。中間搬送装置２４による用紙搬送速度は、上流側印刷部２で印刷された用紙Ｐの印刷画像が下流側印刷部６で印刷される画像と合致するように設定されている。一体的に構成された中間搬送装置２４は、駆動ローラ２４ａの支軸を中心として従動ローラ２４ｂ側端部が揺動可能に構成されており、図示しない中間搬送揺動手段によって揺動されることにより、図１に示す第１の位置と図２に示す第２の位置とを選択的に占める。上流側印刷部２において印刷がなされた片面印刷済み用紙は、中間搬送装置２４が第１の位置を占めたときに下流側印刷部６へと送られ、中間搬送装置２４が第２の位置を占めたときに再給紙手段１４へと送られる。
【００２５】
排版部８の下方には排紙部９が配設されている。排紙部９は、排紙搬送手段３２、排紙トレイ３３等を有している。排紙搬送手段３２は、駆動ローラ、従動ローラ、無端ベルト、吸引ファン等を有する吸着搬送式コンベヤであり、無端ベルトの上面に印刷部６で印刷された用紙Ｐを吸着しつつ排紙トレイ３３に向けて搬送する。排紙トレイ３３は１個のエンドフェンスと一対のサイドフェンスとを有しており、その上面に印刷済みの用紙Ｐを積載する。
【００２６】
装置本体１１の上部には画像読取部１０が配設されている。画像読取部１０は、原稿を載置するコンタクトガラス、コンタクトガラスに対して接離自在に設けられた圧板、原稿画像を走査して読み取る走査ユニット、走査された画像を集束するレンズ、集束された画像を処理する画像センサ等を有する周知の構成である。
【００２７】
図３は、装置本体１１の上部前面に設けられた複胴式孔版印刷装置１の操作パネルを示している。同図において操作パネル３６には、製版スタートキー３７、印刷スタートキー３８、ストップキー３９、テンキー４０、７セグメントＬＥＤからなる表示装置４１、ＬＣＤからなる表示装置４２等の周知の構成の他、印刷モードを、片面単色印刷を行う第１のモード、片面多色印刷を行う第２のモード、両面間欠印刷を行う間欠モードとしての第３のモード、両面連続印刷を行う連続モードとしての第４のモードの何れかに切り替えるセレクトスイッチ４３が配設されている。
【００２８】
図４は、複胴式孔版印刷装置１に用いられる制御手段のブロック図である。同図において制御手段４４は内部にＣＰＵ、ＲＯＭ、ＲＡＭ等を有する周知のマイクロコンピュータであり、図示しないロータリエンコーダ及び操作パネル３６からの動作信号、図示しない各種センサからの検知信号等に基づいて上流側印刷部２、製版部３、給紙部４、排版部５、下流側印刷部６、排版部８、排紙部９、画像読取部１０、中間搬送装置２４の作動をそれぞれ制御する。
【００２９】
上述の構成に基づき、以下に複胴式孔版印刷装置１の動作を説明する。先ず、セレクトスイッチ４３が「１」を指し、第１のモードである片面単色印刷が行われる場合を説明する。
【００３０】
オペレータによりセレクトスイッチ４３が「１」の位置に切り替えられ、画像読取部１０に印刷すべき１枚の原稿がセットされた後に製版スタートキー３７が押下されると、画像読取部１０において原稿画像の読取動作が行われると共に排版部５が作動して版胴１２の外周面上から使用済みの製版済みマスタ１７が剥離される。排版動作中に図示しない製版部移動手段が作動して製版部３が第１の位置に位置決めされ、排版動作後に製版部３が作動して新たな製版済みマスタ１７が製版され、これが版胴１２に巻装される。
【００３１】
版胴１２への製版済みマスタ１７の巻装動作が完了すると、排版部８が作動して版胴２５の外周面から使用済みの製版済みマスタ２８が剥離される。排版動作中に図示しない製版部移動手段が作動して製版部３が第２の位置に位置決めされ、排版動作後に製版部３が作動して未製版のマスタが新たな製版済みマスタ２８として版胴２５に巻装される。この片面単色印刷動作時においてプレスローラ２６は印刷動作中での揺動動作を行わず、図示しないプレスローラ保持手段によって離間位置で保持された状態を維持する。各版胴１２，２５への巻装動作が完了した後、図示しない中間搬送揺動手段が作動して中間搬送装置２４が第１の位置に位置決めされ、複胴式孔版印刷装置１は印刷待機状態となる。
【００３２】
複胴式孔版印刷装置１が印刷待機状態となった後、オペレータにより各種印刷条件が設定された後に印刷スタートキー３８が押下されると、版胴１２が設定された印刷速度に応じた周速度で回転駆動されると共に給紙部４より用紙Ｐが１枚分離給送される。給送された用紙Ｐはレジストローラ対で一時停止された後、所定のタイミングで版胴１２とプレスローラ１３との間に向けて送られる。なお、各種印刷条件の設定は、製版スタートキー３７の押下前に行ってもよい。
【００３３】
版胴１２が所定の角度まで回転して製版済みマスタ１７に形成された製版画像の先端位置がプレスローラ１３と対応する位置を占めると、図示しない揺動手段の作動によりプレスローラ１３が圧接位置を占め、用紙Ｐが版胴１２上の製版済みマスタ１７に圧接されてその上面に原稿画像に対応した印刷画像を転写される。片面印刷済み用紙となった用紙Ｐは、版胴１２の外周面に対して近接した位置を占めた剥離爪４５によって版胴１２の外周面より剥離され、中間搬送装置２４へと送られる。
【００３４】
中間搬送装置２４へと送られた印刷済みの用紙Ｐは、中間搬送装置２４の吸着搬送力によって下流側へと搬送され、離間位置において保持されているプレスローラ２６と版胴２５との間を通過して排紙搬送手段３２へと送られる。送られた用紙Ｐは排紙搬送手段３２によってさらに下流側へと吸着搬送され、排紙トレイ３３上に排出積載される。以下、上述の動作が設定された印刷枚数を消化するまで繰り返され、設定印刷枚数に達すると各部位の作動が停止して印刷動作が完了する。
【００３５】
次に、セレクトスイッチ４３が「２」を指し、第２のモードである片面多色印刷が行われる場合を説明する。オペレータによりセレクトスイッチ４３が「２」の位置に切り替えられ、画像読取部１０に印刷すべき２枚の原稿のうちの１枚目がセットされた後に製版スタートキー３７が押下されると、画像読取部１０において１枚目の原稿画像の読取動作が行われると共に排版部５が作動して版胴１２の外周面上から使用済みの製版済みマスタ１７が剥離される。排版動作中に図示しない製版部移動手段が作動して製版部３が第１の位置に位置決めされ、排版動作後に製版部３が作動して新たな製版済みマスタ１７が製版され、これが版胴１２に巻装される。
【００３６】
１枚目の原稿の読取動作が完了すると、表示装置４２に２枚目の原稿セットを促す旨の表示がなされ、オペレータは画像読取部１０に２枚目の原稿をセットした後に再び製版スタートキー３７を押下する。すると、画像読取部１０において２枚目の原稿画像の読取動作が行われると共に排版部８が作動して版胴２５の外周面上から使用済みの製版済みマスタ２８が剥離される。排版動作中に図示しない製版部移動手段が作動して製版部３が第２の位置に位置決めされ、排版動作後に製版部３が作動して新たな製版済みマスタ２８が製版され、これが版胴２５に巻装される。各版胴１２，２５への巻装動作が完了した後、図示しない中間搬送揺動手段が作動して中間搬送装置２４が第１の位置に位置決めされ、複胴式孔版印刷装置１は印刷待機状態となる。
【００３７】
複胴式孔版印刷装置１が印刷待機状態となった後、オペレータにより各種印刷条件が設定された後に印刷スタートキー３８が押下されると、各版胴１２，２５が設定された印刷速度に応じた周速度で回転駆動されると共に給紙部４より用紙Ｐが１枚分離給送される。給送された用紙Ｐはレジストローラ対で一時停止された後、所定のタイミングで版胴１２とプレスローラ１３との間に向けて送られる。
【００３８】
版胴１２が所定の角度まで回転して製版済みマスタ１７に形成された製版画像の先端位置がプレスローラ１３と対応する位置を占めると、図示しない揺動手段の作動によりプレスローラ１３が圧接位置を占め、用紙Ｐが版胴１２上の製版済みマスタ１７に圧接されてその上面に１枚目の原稿画像に対応した印刷画像を転写される。黒色画像を転写された用紙Ｐは、版胴１２の外周面に対して近接した位置を占めた剥離爪４５によって版胴１２の外周面より剥離され、中間搬送装置２４へと送られる。
【００３９】
中間搬送装置２４へと送られた印刷済みの用紙Ｐは、中間搬送装置２４の吸着搬送力によって下流側へと搬送され、所定のタイミングで版胴２５とプレスローラ２６との間に向けて送られる。版胴２５が所定の角度まで回転して製版済みマスタ２８に形成された製版画像の先端位置がプレスローラ２６と対応する位置を占めると、図示しない揺動手段の作動によりプレスローラ２６が圧接位置を占め、用紙Ｐが版胴２５上の製版済みマスタ２８に圧接されてその上面に２枚目の原稿画像に対応した印刷画像を転写される。
【００４０】
赤色画像を転写され多色印刷済み用紙となった用紙Ｐは、版胴２５の外周面に対して近接した位置を占めた剥離爪３１によって版胴２５の外周面より剥離され、排紙搬送手段３２へと送られる。送られた用紙Ｐは排紙搬送手段３２によってさらに下流側へと吸着搬送され、排紙トレイ３３上に排出積載される。以下、上述の動作が設定された印刷枚数を消化するまで繰り返され、設定印刷枚数に達すると各部位の作動が停止して印刷動作が完了する。
【００４１】
次に、セレクトスイッチ４３が「３」を指し、第３のモードである両面間欠印刷が行われる場合を説明する。オペレータによりセレクトスイッチ４３が「３」の位置に切り替えられ、画像読取部１０に印刷すべき２枚の原稿のうちの１枚目がセットされた後に製版スタートキー３７が押下されると、画像読取部１０において１枚目の原稿画像の読取動作が行われると共に排版部５が作動して版胴１２の外周面上から使用済みの製版済みマスタ１７が剥離される。排版動作中に図示しない製版部移動手段が作動して製版部３が第１の位置に位置決めされ、排版動作後に製版部３が作動して新たな製版済みマスタ１７が製版され、これが版胴１２に巻装される。
【００４２】
１枚目の原稿の読取動作が完了した後、オペレータにより画像読取部１０に２枚目の原稿がセットされた後に再び製版スタートキー３７が押下されると、画像読取部１０において２枚目の原稿画像の読取動作が行われると共に排版部８が作動し、版胴２５の外周面上から使用済みの製版済みマスタ２８が剥離される。排版動作中に図示しない製版部移動手段が作動して製版部３が第２の位置に位置決めされ、排版動作後に製版部３が作動して新たな製版済みマスタ２８が製版され、これが版胴２５に巻装される。各版胴１２，２５への巻装動作が完了した後、図示しない中間搬送揺動手段が作動して中間搬送装置２４が第２の位置に位置決めされ、複胴式孔版印刷装置１は印刷待機状態となる。
【００４３】
複胴式孔版印刷装置１が印刷待機状態となった後、オペレータにより各種印刷条件が設定された後に印刷スタートキー３８が押下されると、各版胴１２，２５が設定された印刷速度に応じた周速度で回転駆動されると共に給紙部４より用紙Ｐが１枚分離給送され、用紙Ｐはレジストローラ対により所定のタイミングで版胴１２とプレスローラ１３との間に向けて送られる。
【００４４】
版胴１２が所定の角度まで回転して製版済みマスタ１７に形成された製版画像の先端位置がプレスローラ１３と対応する位置を占めると、図示しない揺動手段の作動によりプレスローラ１３が圧接位置を占め、用紙Ｐが版胴１２上の製版済みマスタ１７に圧接されてその一方の面に１枚目の原稿画像に対応した印刷画像を転写される。片面印刷済み用紙となった用紙Ｐは、版胴１２の外周面に対して近接した位置を占めた剥離爪４５によって版胴１２の外周面より剥離され、第２の位置を占めた中間搬送装置２４へと送られる。
【００４５】
中間搬送装置２４へと送られた片面印刷済み用紙としての用紙Ｐは、中間搬送装置２４の吸着搬送力によって下流側へと搬送され、プレスローラ２６と再給紙レジストローラ２０との間を通って補助トレイ２１上へと案内される。案内された用紙Ｐは、左方へと走行する無端ベルト１９によって補助トレイ２１の奥側へと送られる。そして、版胴２５上に巻装された製版済みマスタ２８の製版画像先端位置がプレスローラ２６と対応する位置を占める前の所定のタイミングで無端ベルト１９の走行方向が反転され、補助トレイ２１上の用紙Ｐは再給紙搬送手段２２によって右方へと搬送される。そして、製版済みマスタ２８の製版画像先端位置がプレスローラ２６と対応する位置に到達するよりもやや早いタイミングで再給紙レジストローラ２０が作動し、補助トレイ２１上に貯容されている用紙Ｐがプレスローラ２６の周面に圧接される。プレスローラ２６の周面に圧接された用紙Ｐは、版胴２５に圧接して従動回転しているプレスローラ２６の回転力によって版胴２５との当接部に向けて搬送され、製版済みマスタ２８に圧接されることによりその他方の面に２枚目の原稿画像に対応した印刷画像を転写される。
【００４６】
両面印刷済み用紙となった１枚目の用紙Ｐは、剥離爪３１が版胴２５の外周面に対して近接した位置を占めることにより版胴２５の外周面より剥離され、排紙搬送手段３２へと送られる。送られた用紙Ｐは排紙搬送手段３２によってさらに下流側へと吸着搬送され、排紙トレイ３３上に排出積載される。１枚目の用紙Ｐが排紙搬送手段３２に送られた後に給紙部４より２枚目の用紙Ｐが１枚分離給送され、上述と同様に両面印刷が行われる。以下、上述の動作が設定された印刷枚数を消化するまで繰り返され、設定印刷枚数に達すると各部位の作動が停止して印刷動作が完了する。
【００４７】
次に、セレクトスイッチ４３が「４」を指し、第４のモードである両面連続印刷が行われる場合を説明する。オペレータによりセレクトスイッチ４３が「４」の位置に切り替えられ、画像読取部１０に印刷すべき２枚の原稿のうちの１枚目がセットされた後に製版スタートキー３７が押下されると、上述と同様に原稿読取動作、排版動作が行われ、排版動作後に第１の位置を占めた製版部３が作動して新たな製版済みマスタ１７が製版され、これが版胴１２に巻装される。その後、オペレータにより画像読取部１０に２枚目の原稿がセットされた後に再び製版スタートキー３７が押下されると、原稿読取動作、排版動作が行われ、排版動作後に第２の位置を占めた製版部３が作動して新たな製版済みマスタ２８が製版され、これが版胴２５に巻装される。各版胴１２，２５への巻装動作が完了した後、中間搬送装置２４が第２の位置を占めて複胴式孔版印刷装置１は印刷待機状態となる。
【００４８】
複胴式孔版印刷装置１が印刷待機状態となった後、オペレータにより各種印刷条件が設定された後に印刷スタートキー３８が押下されると、各版胴１２，２５が設定された印刷速度に応じた周速度で回転駆動されると共に給紙部４より用紙Ｐが１枚分離給送され、用紙Ｐはレジストローラ対により所定のタイミングで版胴１２とプレスローラ１３との間に向けて送られる。
【００４９】
版胴１２が所定の角度まで回転して製版済みマスタ１７に形成された製版画像の先端位置がプレスローラ１３と対応する位置を占めると、図示しない揺動手段の作動によりプレスローラ１３が圧接位置を占め、用紙Ｐが版胴１２上の製版済みマスタ１７に圧接されてその一方の面に１枚目の原稿画像に対応した印刷画像を転写される。片面印刷済み用紙となった用紙Ｐは剥離爪４５によって版胴１２の外周面より剥離され、第２の位置を占めた中間搬送装置２４へと送られる。
【００５０】
中間搬送装置２４へと送られた片面印刷済み用紙としての用紙Ｐは、中間搬送装置２４の吸着搬送力によって下流側へと搬送され、左方へと走行する無端ベルト１９によって補助トレイ２１の奥側へと案内される。１枚目の用紙Ｐ１が補助トレイ２１上に案内されている間も版胴１２は回転を継続しており、給紙部４からは１枚目の用紙Ｐ１と同じタイミングで２枚目の用紙Ｐ２が給送される。給送された２枚目の用紙Ｐ２は１枚目の用紙Ｐ１と同様にプレスローラ１３によってその一方の面に印刷画像を転写された後、第２の位置を占めている中間搬送装置２４によって補助トレイ２１へと送られる。
【００５１】
給紙部４から２枚目の用紙Ｐ２が給送された後、製版済みマスタ２８の製版画像先端位置がプレスローラ２６と対応する位置を占める前の所定のタイミングで無端ベルト１９の走行方向が反転され、補助トレイ２１上の１枚目の用紙Ｐ１は再給紙搬送手段２２によって右方へと搬送される。そして、製版済みマスタ２８の製版画像先端位置がプレスローラ２６と対応する位置に到達するよりもやや早いタイミングで再給紙レジストローラ２０が作動し、補助トレイ２１上に貯容されている１枚目の用紙Ｐ１がプレスローラ２６の周面に圧接される。プレスローラ２６の周面に圧接された１枚目の用紙Ｐ１は、版胴２５に圧接して従動回転しているプレスローラ２６の回転力によって版胴２５との当接部に向けて搬送され、製版済みマスタ２８に圧接されることによりその他方の面に２枚目の原稿画像に対応した印刷画像を転写される。このとき、版胴１２に押圧されてその一方の面に１枚目の原稿画像に対応した印刷画像を転写されて片面印刷済み用紙となった２枚目の用紙Ｐ２は、図５（各製版済みマスタ１７，２８及び各クランパ１６，２７の図示は省略）に示すように１枚目の用紙Ｐ１とすれ違いざまに補助トレイ２１へと案内される。この時点において、無端ベルト１９の走行方向は２枚目の用紙Ｐ２を左方へと搬送すべく反転されている。
【００５２】
両面印刷済み用紙となった１枚目の用紙Ｐ１は、剥離爪３１によって版胴２５の外周面より剥離されて排紙搬送手段３２へと送られる。送られた用紙Ｐは排紙搬送手段３２によってさらに下流側へと吸着搬送され、排紙トレイ３３上に排出積載される。以下、上述の動作が設定された印刷枚数を消化するまで繰り返され、設定印刷枚数に達すると各部位の作動が停止して印刷動作が完了する。
【００５３】
上述の構成によれば、セレクトスイッチ４３により片面単色印刷を行う第１のモード、片面多色印刷を行う第２のモード、両面間欠印刷を行う第３のモード、両面連続印刷を行う第４のモードの何れかに印刷モードを切り替えることができ、１工程多色印刷と１工程両面印刷とを選択的に行うことができる。上述の構成において、両面間欠印刷によれば各用紙Ｐ間の間隔を十分にとることができ、後の用紙が先の用紙に接触することに起因する画像こすれ等の不具合の発生を防止することができ、両面連続印刷によれば両面間欠印刷に比して２倍の速度で印刷を行うことで印刷工率を向上することができる。
【００５４】
上記実施形態では、単一の駆動手段により各版胴１２，２５を回転駆動する構成としたが、各版胴をそれぞれ別々の駆動手段により回転駆動する構成としてもよい。同一の駆動手段により各版胴１２，２５を回転駆動する場合には、両面間欠印刷と両面連続印刷とを切り換える際に各版胴間の位相を調整するため、周知の天地移動手段を用いることが望ましい。別々の駆動手段により各版胴１２，２５を回転駆動する場合には、制御手段４４により各版胴駆動手段の作動タイミングを調整することで各版胴間の位相を調整することができる。
【図面の簡単な説明】
【００５５】
【図１】本発明の一実施形態を採用した複胴式孔版印刷装置の概略正面図である。
【図２】本発明の一実施形態における中間搬送装置が第２の位置を占めた場合を示す複胴式孔版印刷装置の概略正面図である。
【図３】本発明の一実施形態に用いられる操作パネルの概略図である。
【図４】本発明の一実施形態に用いられる制御手段のブロック図である。
【図５】本発明の一実施形態における両面連続印刷時における用紙の態様を説明する概略図である。
【符号の説明】
【００５６】
１  複胴式孔版印刷装置
２  上流側印刷部
６  下流側印刷部
１２，２５  版胴
１３，２６  押圧手段（プレスローラ）
１４  再給紙手段
２４  中間搬送装置
【図１】
2008142994.tif 000003
【図２】
2008142994.tif 000004
【図３】
2008142994.tif 000005
【図４】
2008142994.tif 000006
【図５】
2008142994.tif 000007